(57)【特許請求の範囲】
【請求項１】
シャンクの先端部に形成された取付孔に、先端側に切刃部が設けられた切刃部材の後端部が挿入されて、接着剤により固着されて取り付けられたコンポジットドリルにおいて、上記取付孔の孔底部には、該取付孔の中心軸方向に上記切刃部材の後端面に対向する該中心軸に垂直な平面部と、この平面部から上記シャンクの後端側に凹む凹部とが形成されていることを特徴とするコンポジットドリル。
【請求項２】
上記平面部は上記孔底部の外周縁に環状に形成されるとともに、上記凹部は上記孔底部の中央部に形成されていることを特徴とする請求項１に記載のコンポジットドリル。
【請求項３】
上記平面部と上記切刃部材の後端面とが０．１５ｍｍ未満の距離まで近接されて、該切刃部材の後端部が固着されていることを特徴とする請求項１または請求項２に記載のコンポジットドリル。
【請求項４】
上記凹部の底と上記切刃部材の後端面とが１．０ｍｍを越える距離まで離間して、該切刃部材の後端部が固着されていることを特徴とする請求項１ないし請求項３のいずれかに記載のコンポジットドリル。
【発明の詳細な説明】
【技術分野】
【０００１】
本発明は、別体に成形されたシャンクと切刃部材とが接着剤によって固着されて組み立てられたコンポジットドリルに関するものである。
【背景技術】
【０００２】
例えばプリント基板の穴明け加工などに用いられる切刃径が小径のドリルにおいては、切刃径よりも大径となる鋼製のシャンクの先端部に取付孔を形成し、この取付孔に、先端側に切刃部が設けられた超硬合金等からなる切刃部材の後端部を挿入して取り付けたコンポジットドリルが用いられる。そして、この種のコンポジットドリルにおいては、例えば特許文献１〜３に記載されているように、取付孔に挿入された切刃部材の後端部を接着剤によって固着して、シャンクと一体化したものが提案されている。なお、このような切刃部材の切刃部は、こうして切刃部材をシャンクに接着して一体化した後に外径研磨や切屑排出溝、切刃が形成されて、シャンクの軸線を中心としたものとされる。
【特許文献１】特表２００２−５０１８３６号公報
【特許文献２】特開２００２−２１０６０７号公報
【特許文献３】米国特許第３７５１１７６号明細書
【発明の開示】
【発明が解決しようとする課題】
【０００３】
ところで、このような小径のコンポジットドリルによるプリント基板の穴明け加工などにおいても、近年では加工の高能率化が求められてきており、加工時のドリルの回転速度も高速化する傾向にあるが、こうして加工時のドリル回転速度が高速化すると、発生する切削熱も大きくなり、これが切刃部から熱伝導率の高い切刃部材を伝播して取付孔と切刃部材後端部との間の接着剤を軟化させ、接着強度が低下するおそれがある。そして、このように接着強度が低下すると、穴加工時の送り分力により切刃部材が取付孔内をシャンクの軸線方向後端側に移動しようとしてしまって安定した加工が困難になるのは勿論、例えば所定の深さの止まり穴を穿孔しようとしても、切刃部先端の切刃の位置が変化してしまうため、穴深さ等の精度が低下するおそれもある。
【０００４】
特に、上述のようにシャンクと切刃部材とを接着剤によって固着して取り付けたコンポジットドリルでは、この接着剤による固着の際に取付孔内の孔底部側に空気を巻き込みやすく、こうして取付孔内に巻き込まれて封入された空気も、切刃部材の後端側への移動を促進する要因となる。すなわち、取付孔内に挿入する切刃部材の後端部外周に予め接着剤を塗布して挿入した場合には、取付孔内に存在する空気と接着剤との置換が有効に行われず、つまり空気が封じ込まれたまま孔底部側に押し込まれて孔底部に十分に接着剤が行き渡らない。この点、上記特許文献１に記載のコンポジットドリルでは、孔底部の接着剤を注入してから切刃部材の後端部を取付孔に挿入し、このときの切刃部材の後端面と孔底部との距離を０．０２５４〜０．１２７ｃｍとしているが、この場合でも僅かながら空気が孔底部側に残存してしまうことは避けられず、切削熱により接着剤が軟化して切刃部材が後端側に押し込まれた際に、この孔底部に残存した空気の層や気泡が潰れて切刃の位置の変化を生じることになる。
【０００５】
一方、シャンク先端部の取付孔は通常ドリルによる穴加工によって成形されるが、通常のドリルの切刃には先端角が付されていて回転軌跡が凸円錐面状となるため、図３に示すようにシャンク１の取付孔２の孔底部３は凹円錐面状となる（例えば、特許文献２の図１、図３参照。）。しかしながら、このような形状の孔底部３を有する取付孔２に、同じく特許文献２に記載されているような円柱状の切刃部材４の後端部５を挿入して接着剤６により接着した場合に、上述のように切削熱の伝播によって接着剤６が軟化して切刃部材４が取付孔２内をシャンク１の軸線Ｏ方向後端側に押し込まれると、上記凹円錐面の中心軸すなわち上記軸線Ｏと切刃部材４の後端部５の円柱の中心軸Ｘとが高精度に一致していない場合には、孔底部３の周方向における一部分に、切刃部材４の後端部５における後端面７周縁の円周の一部分が先に当たって、いわゆる片当たりした状態となり、さらに切刃部材４が押し込まれることにより、孔底部３がなす凹円錐面の傾斜によって後端部５の中心軸Ｘがシャンク１の軸線Ｏに対して傾いてしまう。そして、これに伴い切刃部材４先端側の切刃部８における切刃９の位置もシャンク１の軸線Ｏすなわち当該コンポジットドリルの回転軸線から大きく変位してしまい、加工穴精度を著しく劣化させたり、場合によっては切刃部８に折損が生じたりするおそれもある。
【０００６】
本発明は、このような背景の下になされたもので、上述のようにシャンクの取付孔に切刃部材後端部が挿入されて接着剤により固着、取り付けられたコンポジットドリルにおいて、切削熱によって接着剤に軟化が生じても切刃の位置に変位が生じるのを抑えて安定した高精度の穴加工が可能なコンポジットドリルを提供することを目的としている。
【課題を解決するための手段】
【０００７】
上記課題を解決して、このような目的を達成するために、本発明は、シャンクの先端部に形成された取付孔に、先端側に切刃部が設けられた切刃部材の後端部が挿入されて、接着剤により固着されて取り付けられたコンポジットドリルにおいて、上記取付孔の孔底部に、該取付孔の中心軸方向に上記切刃部材の後端面に対向する該中心軸に垂直な平面部と、この平面部から上記シャンクの後端側に凹む凹部とを形成したことを特徴とする。
【発明の効果】
【０００８】
このように構成されたコンポジットドリルでは、まず取付孔の孔底部に、取付孔の中心軸に垂直な平面部が、この中心軸方向に切刃部材の後端面に対向するように形成されているので、特許文献２のように孔底部全体が凹円錐面状とされているのに比べ、切刃部材の後端部の中心軸が取付孔の中心軸に対して多少偏心して挿入されても、切刃部材の後端面が上記平面部に面同士で当接することとなり、すなわち後端面周縁の円周の一部が傾斜した凹円錐面に部分的に片当たりすることがなくなって、切刃部材の傾きを抑制することができる。そして、さらにこの平面部に対して後端側に凹む凹部が孔底部に形成されることにより、切刃部材の後端部を接着剤によって固着する際に空気が巻き込まれて孔底部側に押し込まれたり、あるいは孔底部に接着剤を注入したにも拘わらず空気が残存してしまったりしても、この空気を上記凹部に押し込んで収容した状態で切刃部材後端部を取付孔に固着することができ、該空気の層や気泡が潰されることで切刃部材が後端側に大きく移動してしまうのを防ぐことができる。
【０００９】
従って、上記構成のコンポジットドリルによれば、切削熱により接着剤が軟化して切刃部材が後端側に押し込まれようとしても、上述のように切刃部材の後端面が孔底部の平面部に当接したところでその移動が拘束され、しかもシャンク軸線に対して傾きが生じるのも抑えられるので、切刃部材先端の切刃の軸線方向の変位や該軸線に対する径方向への変位も防ぐことができる。そして、これにより、切刃部材をより安定して取り付けることができるとともに、止まり穴を穿孔する場合でも確実に所定の深さで形成したり、加工穴の径精度や真円度などの向上を図ったりして、高精度の穴加工を促すことが可能となる。
【００１０】
ここで、取付孔の孔底部にこのような平面部と凹部とを形成するには、例えば上述のような通常のドリルで凹円錐面状の孔底部を有する取付孔を形成した後に、上記中心軸に垂直となる切刃を有する穴加工工具や、あるいは放電加工等により、この凹円錐面の外周側を軸線に垂直な平面状に加工したり、または初めから外周側に上述のような切刃が形成された段付きドリルによって該取付孔を穿孔したりすればよい。このような場合には、上記平面部は上記孔底部の外周縁に環状に形成されるとともに、上記凹部は上記孔底部の中央部に形成され、従って切刃部材の後端面はその外周側部分が全周に亙って上記平面部に当接させられることとなるので、切刃部材の取付安定性を一層向上させることができる。なお、この場合には、上記凹部は凹円錐面状のままとされるが、例えば孔底部の中央部にも放電加工を施したり、あるいは内周側にも上記中心軸と垂直になるような切刃を有した穴加工工具を用いて孔底部を加工したりすることにより、この凹部をも上記中心軸に垂直な平面状の底面が形成されたものとしてもよい。
【００１１】
さらに、上記平面部と上記切刃部材の後端面とは０．１５ｍｍ未満の距離まで近接された状態で、該切刃部材の後端部が固着されるのが望ましい。すなわち、平面部と切刃部材後端面とがこれ以上離れていると、たとえこれらの間に空気が巻き込まれたり残存していたりしなくても、接着剤自体が軟化することによって切刃部材の後端側への移動を確実に抑えることができなくなるおそれが生じる。その一方で、上記凹部の底と上記切刃部材の後端面とは１．０ｍｍを越える距離まで離間して、該切刃部材の後端部が固着されているのが望ましく、すなわちこうして凹部の底を切刃部材後端面から大きく離間させることで、孔底側に残存した空気を確実に凹部内に収容して平面部と後端面との間に残存するのを防ぐことが可能となる。
【発明を実施するための最良の形態】
【００１２】
図１は、本発明の一実施形態のコンポジットドリルを示す断面図である。本実施形態においてシャンク１１は、例えばステンレス鋼等の鋼材により軸線Ｏを中心とした外形略円柱状に形成され、その先端部は先端側（図１において左側）に向かうに従い漸次縮径するテーパ部１２とされるとともに、該先端部の中央からは上記軸線Ｏに沿って後端側に向かう取付孔１３が形成されている。この取付孔１３は、軸線Ｏを中心とする一定内径Ａの断面円形に形成されたものであって、後端側（図１において右側）に孔底部１４を有する止まり孔状に形成されている。
【００１３】
この取付孔１３には、先端側に切刃部１５が形成される切刃部材１６の後端部１７が挿入されて、接着剤１８により固着されている。この切刃部材１６は、シャンク１１よりも高硬度な超硬合金等の硬質材料により形成されたものであって、後端部１７は上記取付孔１３の内径Ａより僅かに小径（例えば０．９０〜０．９９×Ａ）の外径Ｂを有する概略円柱状に形成されるとともに、切刃部１５はその先端に形成される切刃１９の外径Ｃに応じた外径の上記後端部１７より小径な略円柱軸状に形成され、さらにこれら切刃部１５と後端部１７との間には、シャンク１１の上記テーパ部１２と等しいテーパ角で面一に連なるようなテーパ部２０が形成されている。
【００１４】
なお、上記切刃１９の外径Ｃは、当該コンポジットドリルが上述のようなプリント基板の穴明け加工用のものである場合には、０．１〜１．６ｍｍ程度とされる。ただし、本実施形態ではこの切刃１９は図示が簡略化されているほか、切刃部１５の外周には、この切刃１９に連なる通常は捩れ溝状の図示されない切屑排出溝が形成される。また、円柱状の後端部１７においては、その後端面２１は該後端部１７の中心軸Ｘに直交する平坦な円形とされる。
【００１５】
ここで、このような切刃部１５は、例えば上記後端部１７と同径の超硬合金よりなる円柱状部材をシャンク１１の取付孔１３に挿入して接着剤１８により固着した後に、この円柱状部材のシャンク１１の先端側に突出した部分を研削等により上記外径Ｃにまで縮径させるとともにテーパ部２０を形成し、さらに上記切屑排出溝や切刃１９を研ぎ付けることにより形成される。従って、図１に示すように切刃部材１６の後端部１７の中心軸Ｘがシャンク１１の軸線Ｏから多少偏心して固着されていても、切刃部１５は軸線Ｏを中心として形成することができる。また、上記接着剤１８としては、例えば嫌気性固着剤等が好適に用いられる。
【００１６】
そして、シャンク１１の取付孔１３における上記孔底部１４には、こうして接着剤１８により固着される切刃部材１６の後端部１７における後端面２１に対して該取付孔１３の中心軸すなわちシャンク１１の軸線Ｏ方向に対向する該軸線Ｏに垂直な平面部２２と、この平坦部２２からシャンク１１の後端側に凹む凹部２３とが形成されている。ここで、本実施形態では上記平面部２２は孔底部１４の外周縁に環状に形成されていて、特に上記軸線Ｏを中心とした円環状とされるとともに、上記凹部２３はこの平面部２２の内周側にあって上記孔底部１４の中央部に形成されており、平面部２２がなす上記円環の内径が切刃部材１６の後端面２１がなす円の外径よりも小さくされることにより、この後端面２１に対して平面部２２が軸線Ｏ方向に対向するようにされている。
【００１７】
また、本実施形態では、上記凹部２３は、その底面が図１に示すように軸線Ｏを中心とした凹円錐面状に形成されている。ここで、このような凹部２３と上記平面部２２とを有する孔底部１４は、例えば従来と同様に切刃に所定の先端角が付されたドリルによって取付孔１３を形成した後に、その孔底の周縁部を、上記軸線Ｏに垂直な切刃を有する穴加工工具によって切削したり、該周縁部に放電加工を施したりすることにより、形成することができる。また、内周側の先端角が付された切刃の外周側に上述のような軸線Ｏに垂直な切刃が形成された段付のドリルにより、取付孔１３を形成する際に同時に平面部２２と凹部２３とを備えた孔底部１４を形成するようにしてもよい。
【００１８】
このような構成のコンポジットドリルでは、切刃部材１６の後端部１７が挿入されるシャンク１１の取付孔１３の孔底部１４に、まずこの取付孔１３の中心軸（シャンク１１の中心軸線Ｏ）に垂直な平面部２２が形成されており、この平面部２２は上記中心軸方向（軸線Ｏ方向）において、切刃部材１６における後端部１７の後端面２１に対向するように設けられているので、穴明け加工時の切削熱が切刃部１５から切刃部材１６全体に伝播することにより接着剤１８が軟化して、送り分力により切刃部材１６が取付孔１３内を軸線Ｏ方向後端側に押し込まれるように移動しようとしても、この平面部２２に切刃部材１６後端面２１が当接したところで、切刃部材１６は軸線Ｏ方向に位置決めされて後端側への移動が拘束される。
【００１９】
しかも、この平面部２２は上述のように軸線Ｏに垂直とされて、後端部１７の中心軸Ｘに対して垂直な上記後端面２１とは、互いに平行に面同士で当接することとなるので、たとえ中心軸Ｘが軸線Ｏに対して多少偏心して挿入されていたとしても、従来のように後端面の周縁において切刃部材が孔底部に片当たりする場合に比べて、接着剤１８が軟化したときに切刃部材１６が後端側に押し込まれるように押圧された際に、切刃部材１６が軸線Ｏに対して傾いてしまうのを抑えることができ、これにより切刃部材１６先端の上記切刃１９が径方向に変位するのも防ぐことができる。
【００２０】
そして、さらに取付孔１３の孔底部１４には、この平面部２２に対して後端側に凹む凹部２３が形成されているので、切刃部材１６の後端部１７を接着剤１８によって取付孔１３に固着する際に空気が取り込まれたり、あるいは孔底部１４側に接着剤１８を注入したときでも空気が残存してしまったりした場合に、この取り込まれたり残存したりした空気の層や気泡を、後端部１７を取付孔１３に挿入する際に該凹部２３内に押し込んで収容した状態で、後端部１７を固着することができる。また、例えば孔底部１４側に注入した接着剤１８が多すぎた場合などでも、余分な接着剤１８をこの凹部２３内に収容することができ、これらにより切刃部材１６の後端部１７を孔底部１４の上記平面部２２に近接させた状態で取付孔１３に固着することができる。
【００２１】
従って、上記構成のコンポジットドリルによれば、切削熱により接着剤１８が軟化することによって切刃部材１６がシャンク１１の後端側に押し込まれるように押圧力を受けたとしても、これによって上記空気の層や気泡が潰れて切刃部材１６の移動が促進されるようなことはなく、上述のように後端面２１が平面部２２に当接することによって確実に位置決めされる。そして、さらにこの平面部２２によって切刃部材１６の軸線Ｏに対する傾きも上述のように防ぐことができるので、その先端の切刃１９の位置を軸線Ｏ方向および該軸線Ｏに対する径方向に高精度に維持することができ、所定の深さの止まり穴を穿孔するときの穴深さ精度や、加工孔の内径精度、真円度などについても高い精度を確保することができるとともに、切刃部１５に無理な力が作用することがないために折損等が生じるのも確実に防止することが可能となる。
【００２２】
また、本実施形態では、上記平面部２２が取付孔１３の孔底部１４の外周縁に環状に形成されるとともに、上記凹部２３は孔底部１４の中央部に形成されており、従って切刃部材１６の後端面２１を、その外周縁部が全周に亙って平面部２２に面同士で当接するように近接させることができるので、上述した片当たりを一層確実に防いで切刃部材１６のより安定した取り付けを図ることが可能となる。なお、切刃部材１６の後端部１７が軸線Ｏに対して偏心して固着されても、このように切刃部材１６の後端面２１を全周に亙って平面部２２に当接可能とするには、本実施形態のように平面部２２が円環状である場合は、その内径Ｄが取付孔１３の内径Ａと後端部１７の外径（後端面２１の外径）Ｂに対して２×Ｂ−Ａ未満であればよいが、中央部の凹部２３に十分な開口面積を確保しつつも、より確実に平面部２２を全周に亙って後端面２１に当接可能とするには、上記内径Ｄはこの２×Ｂ−Ａに対して５０〜９５％の範囲とされるのが望ましい。
【００２３】
また、切刃部材１６の後端部１７を取付孔１３に固着した状態で、上記後端面２１と平面部２２とは、軸線Ｏ方向に０．１５ｍｍ未満の距離Ｅまで近接されているのが望ましい。すなわち、距離Ｅがこれ以上大きくなると、取付孔１３の孔底部１４側に空気が取り込まれたり残存したりしていなくても、間に介在する接着剤１８自体が切削熱によって軟化したときに切刃部材１６が軸線Ｏ方向後端側に移動するのを防ぐことができなくなるおそれが生じる。勿論、この距離Ｅが０すなわち後端面２１と平面部２２とが当接した状態で切刃部材１６の後端部１７が固着されていてもよい。
【００２４】
一方で、同様に切刃部材１６の後端部１７を取付孔１３に固着した状態で、上記後端面２１と凹部２３のうち最も後端側に凹んだ底（本実施形態では凹部２３がなす円錐の軸線Ｏ上の頂点）部分とは、その間の軸線Ｏ方向の距離Ｆが１．０ｍｍを越えるように離間させられているのが望ましい。すなわち、上述した平面部２２の内径Ｄつまり凹部２３の外径や凹部２３自体の形状にもよるが、この距離Ｆがこれ以上小さいと凹部２３の容量が不十分となり、切刃部材１６の後端部１７を取付孔１３に固着する際に孔底部１４側に巻き込まれたり残存したりした空気を確実に収容することができなくなるおそれが生じる。
【００２５】
ただし、この凹部２３がシャンク１１の後端面まで達していて、すなわち取付孔１３が貫通孔とされていると、接着剤１８による切刃部材１６の固着が困難となるおそれがある。すなわち、こうして取付孔１３が貫通孔である場合には、孔底部１４の例えば平面部２２に接着剤１８を注入して切刃部材１６の後端部１７を取付孔１３に挿入しても接着剤１８がシャンク１１の後端側に押し出されてしまうため、切刃部材１６の後端部１７外周と取付孔１３内周との間を接着剤１８によって固着せざるを得ないが、例えば後端部１７の外周に接着剤１８を塗布して取付孔１３に挿入すると接着剤１８が孔底部１４側まで十分に行き渡らなくなるおそれがあり、逆に取付孔１３内周に接着剤１８を注入してから切刃部材１６の後端部１７を挿入しても、孔底部１４に接着剤１８を注入して切刃部材１６の後端部１７を挿入した場合のように後端部１７外周と取付孔１３内周とを確実に固着することは困難となる。
【００２６】
なお、本実施形態ではこの凹部２３を上述のように凹円錐面状に形成しており、従来と同様に通常のドリルで取付孔１３を形成した後に、その孔底の外周縁に平面部２２を形成することによって比較的容易に上記形状の孔底部１４を形成することが可能であるが、該凹部２３は、例えば図２に示す変形例のように上記凹部２３の底面と同じく軸線Ｏを中心とした凹円錐面状をなす底面２３Ａと、この底面２３Ａの周縁から円環状をなす平面部２２の内径部に向けて軸線Ｏに平行に延びる該軸線Ｏを中心とした円筒状の壁面２３Ｂとを有する形状とされていてもよい。このような形状の凹部２３を孔底部１４に有する取付孔１３は、例えば上記内径Ｄと等しい切刃径を有する通常のドリルによって
取付孔１３よりも小径の孔を軸線Ｏに沿って凹部２３の底面２３Ａの深さまで形成した後に、この孔の内径を放電加工や軸線Ｏに垂直な先端切刃を有するリーマ等の穴加工工具によって上記内径Ａまで拡径するとともに上記平面部２２を加工するようにしたり、あるいは平面部２２を形成する軸線Ｏに垂直な外周側の切刃と、この外周側切刃の内周側にこれよりも一段突出した先端角を有する中央部の切刃とを備えた段付の穴加工工具によって上記取付孔１３を穿孔すると同時に孔底部１４を加工したりすることにより、形成することが可能である。
【図面の簡単な説明】
【００２７】
【図１】本発明の一実施形態を示す断面図である。
【図２】図１に示す実施形態の変形例を示す断面図である。
【図３】従来のコンポジットドリルを示す断面図である。
【符号の説明】
【００２８】
１１  シャンク
１３  取付孔
１４  取付孔１３の孔底部
１５  切刃部
１６  切刃部材
１７  切刃部材１６の後端部
１８  接着剤
１９  切刃
２１  切刃部材１６の後端面
２２  平面部
２３  凹部
Ａ  取付孔１３の内径
Ｂ  後端部１７の外径
Ｃ  切刃１９の外径
Ｄ  平面部２２の内径
Ｅ  後端面２１と平面部２２との距離
Ｆ  後端面２１と凹部２３の底との距離
Ｏ  シャンク１１の軸線
Ｘ  後端部１７の中心軸
【図１】
0004735176.tif 000002
【図２】
0004735176.tif 000003
【図３】
0004735176.tif 000004